(57)【特許請求の範囲】
【請求項１】
電源供給先の所定装置が用いる装置用周波数帯域に発生したスイッチング電源のノイズ周波数による干渉を制御するノイズ干渉制御装置であって、
装置用周波数帯域に発生したノイズ周波数を検出する検出手段と、
前記スイッチング電源の温度を制御する温度制御手段と、
前記検出手段により検出されたノイズ周波数が装置用周波数帯域に存在する場合、前記温度制御手段によって前記スイッチング電源の温度を変化させ、ノイズ周波数を装置用周波数帯域外にシフトさせる制御手段と、
を備えたことを特徴とするノイズ干渉制御装置。
【請求項２】
前記温度制御手段は、可変風量ファンを用いて前記スイッチング電源の温度を変化させることを特徴とする請求項１に記載のノイズ干渉制御装置。
【請求項３】
前記温度制御手段は、水冷式の熱交換手段を用いて前記スイッチング電源の温度を変化させることを特徴とする請求項１に記載のノイズ干渉制御装置。
【請求項４】
前記スイッチング電源の発振器を冷却することを特徴とする請求項１〜３のいずれか一つに記載のノイズ干渉制御装置。
【請求項５】
請求項１〜４のいずれか一つに記載のノイズ干渉制御装置を用いて、共鳴周波数帯域に存在するノイズ周波数を該共鳴周波数帯域外にシフトさせることを特徴とするＭＲＩ装置。
【請求項６】
電源供給先の所定装置が用いる装置用周波数帯域に発生したスイッチング電源のノイズ周波数による干渉を制御するノイズ干渉制御方法であって、
装置用周波数帯域に発生したノイズ周波数を検出し、
前記検出したノイズ周波数が装置用周波数帯域に存在するか否かを判断し、
前記判断されたノイズ周波数が装置用周波数帯域に存在すると判断した場合、前記スイッチング電源の温度を変化させ、ノイズ周波数を装置用周波数帯域外にシフトさせることを特徴とするノイズ干渉制御方法。
【発明の詳細な説明】
【０００１】
【発明の属する技術分野】
この発明は、ＭＲＩ装置などの装置に電源を供給するスイッチングレギュレータ（スイッチング電源）によって発生するノイズが、ＭＲＩ装置などの装置内部で用いられる共鳴周波数帯域などの信号周波数帯域に影響を与えないように制御するノイズ干渉制御装置およびこれを用いたＭＲＩ装置ならびにノイズ干渉制御方法に関するものである。
【０００２】
【従来の技術】
従来から、ＭＲＩ装置は、原理上、マグネットの主磁場強度で決定される共鳴周波数の信号を受信する高感度の受信コイルを備えるため、電磁波ノイズに極めて弱い特性を有する。また、ＭＲＩ装置は、病院などにおける使用が一般的であり、このＭＲＩ装置に人体を乗せるテーブル等の周辺機器には操作性がよいことが要求される。この周辺機器には、操作性をよくする機器が組み込まれており、この周辺機器の電源として、スイッチング電源が用いられつつある。このスイッチング電源は、そのスイッチング周波数として数百ｋＨｚを用いているが、その原理上、スイッチング周波数およびその高調波でノイズが、高い電力で放射される。
【０００３】
したがって、ＭＲＩ装置のマグネットを電磁的なシールドルーム内に配置して、このシールドルームの外から内へ電源を供給する場合、このシールドルーム壁において、フィルタを電源ケーブル内に配置し、さらにはこの電源ケーブルをフェライトコアに巻くなどのノイズ防止策が施されている。
【０００４】
しかし、スイッチング周波数およびその高調波のノイズを完全に除去することは困難である。この結果、シールドルームに入り込んだノイズは、ＭＲＩ装置の受信コイルによって受信されてしまう場合があった。
【０００５】
【発明が解決しようとする課題】
しかしながら、スイッチング周波数およびその高調波のノイズを完全に除去することは困難である。この結果、シールドルームに入り込んだノイズは、ＭＲＩ装置の受信コイルによって受信されてしまう場合があった。
【０００６】
この場合、この受信コイルによって受信される信号は、共鳴中心周波数を中心とした共鳴周波数帯域であり、この共鳴周波数帯域に、スイッチング周波数の高調波成分が存在する場合、ＭＲＩ画像の劣化を引き起こしてしまうという問題点があった。
【０００７】
この発明は、上記に鑑みてなされたものであって、スイッチング電源におけるスイッチング周波数の高調波成分がＭＲＩ画像に与える影響を簡易な構成によって排除することができるノイズ干渉制御装置およびこれを用いたＭＲＩ装置ならびにノイズ干渉制御方法を提供することを目的とする。
【０００８】
【課題を解決するための手段】
上記の目的を達成するために、第１の観点の発明にかかるノイズ干渉制御装置は、電源供給先の所定装置が用いる装置用周波数帯域に発生したスイッチング電源のノイズ周波数による干渉を制御するノイズ干渉制御装置であって、装置用周波数帯域に発生したノイズ周波数を検出する検出手段と、前記スイッチング電源の温度を制御する温度制御手段と、前記検出手段により検出されたノイズ周波数が装置用周波数帯域に存在する場合、前記温度制御手段によって前記スイッチング電源の温度を変化させ、ノイズ周波数を装置用周波数帯域外にシフトさせる制御手段とを備えたことを特徴とする。
【０００９】
この第１の観点の発明にかかるノイズ干渉制御装置によれば、検出手段が装置用周波数帯域に発生したノイズ周波数を検出し、温度制御手段が、ノイズ周波数が装置用周波数帯域から排除するようにスイッチング電源の温度を変化させ、ノイズ周波数を装置用周波数帯域外にシフトさせ、ノイズ周波数が装置用周波数帯域に干渉しないようにしている。
【００１０】
また、第２の観点の発明にかかるノイズ干渉制御装置は、上記の発明において、前記温度制御手段が、可変風量ファンを用いて前記スイッチング電源の温度を変化させることを特徴とする。
【００１１】
この第２の観点の発明にかかるノイズ干渉制御装置によれば、温度制御手段として、可変風量ファンを用い、制御手段が可変風量ファンの回転数を変化させることによって、スイッチング電源に対する風量を変化させ、これによってスイッチング電源の温度を制御し、ノイズ周波数を装置用周波数帯域から排除する。
【００１２】
また、第３の観点の発明にかかるノイズ干渉制御装置は、上記の発明において、前記温度制御手段が、水冷式の熱交換手段を用いて前記スイッチング電源の温度を変化させることを特徴とする。
【００１３】
この第３の観点の発明にかかるノイズ干渉制御装置によれば、温度制御手段として、水冷式の熱交換手段を用い、制御手段が熱交換手段の冷却水の流量を変化させることによってスイッチング電源に対する風量を制御し、これによってスイッチング電源の温度を制御し、ノイズ周波数を装置用周波数帯域外にシフトさせるようにしている。
【００１４】
また、第４の観点の発明にかかるノイズ干渉制御装置は、上記の発明において、前記スイッチング電源の発振器を冷却することを特徴とする。
【００１５】
この第４の観点の発明にかかるノイズ干渉制御装置によれば、ノイズ周波数の発生源であるスイッチング電源の発振器を、特に冷却することによって、迅速かつ確実にノイズ周波数を装置用周波数帯域外にシフトさせるようにしている。
【００１６】
また、第５の観点の発明にかかるＭＲＩ装置は、第１〜第４の観点の発明のいずれか一つに記載のノイズ干渉制御装置を用いて、共鳴周波数帯域に存在するノイズ周波数を該共鳴周波数帯域外にシフトさせることを特徴とする。
【００１７】
この第５の観点の発明にかかるＭＲＩ装置は、上述した第１〜第４の観点の発明のいずれか一つのノイズ干渉制御装置を用い、ＭＲＩ装置の共鳴周波数帯域に存在するノイズ周波数を該共鳴周波数帯域外にシフトさせるようにしている。
【００１８】
また、第６の観点の発明にかかるノイズ干渉制御方法は、電源供給先の所定装置が用いる装置用周波数帯域に発生したスイッチング電源のノイズ周波数による干渉を制御するノイズ干渉制御方法であって、装置用周波数帯域に発生したノイズ周波数を検出し、前記検出したノイズ周波数が装置用周波数帯域に存在するか否かを判断し、前記判断されたノイズ周波数が装置用周波数帯域に存在すると判断した場合、前記スイッチング電源の温度を変化させ、ノイズ周波数を装置用周波数帯域外にシフトさせることを特徴とする。
【００１９】
この第６の観点の発明にかかるノイズ干渉制御方法によれば、まず、装置用周波数帯域に発生したノイズ周波数を検出し、この検出されたノイズ周波数が装置用周波数帯域に存在するか否かを判断し、この判断によって、ノイズ周波数が装置用周波数帯域に存在すると判断した場合、スイッチング電源の温度を変化させ、ノイズ周波数を装置用周波数帯域外にシフトさせる。これによって、ノイズ周波数が装置用周波数帯域に干渉しないようにする。
【００２０】
【発明の実施の形態】
以下、添付図面を参照して、この発明にかかるノイズ干渉制御装置およびこれを用いたＭＲＩ装置ならびにノイズ干渉制御方法の好適な実施の形態について説明する。
【００２１】
（実施の形態１）
まず、この発明にかかる実施の形態１について説明する。図１は、ＭＲＩ装置の全体構成を示す図である。図１において、このＭＲＩ装置は、シールドルーム３００内部に、マグネット部１００およびテーブル部２００を有し、シールドルーム３００の外部に、キャビネット部４およびオペレータコンソール部５を有する。シールドルーム３００は、内部のマグネット部１００およびテーブル部２００と、外部のキャビネット部４およびオペレータコンソール部５とを電磁的に遮蔽している。
【００２２】
このＭＲＩ装置のマグネット部１００およびテーブル部２００は、シールドルーム３００の内部に設けられ、外部からのＲＦ電磁波ノイズが内部に入り込まないように構成されている。
【００２３】
キャビネット部４は、マグネット部１００およびテーブル部２００を制御する制御系が内蔵され、シールドルーム３００外部のケーブル３ａと内部のケーブル２ａとを介してマグネット部１００およびテーブル部２００との間で、信号および電力の送受信を行う。ここで、ケーブル３ａとケーブル２ａとは、シールドルーム３００のペネトレーションパネル（penetration panel）６を介して接続され、電磁的遮蔽効果を維持するように構成される。なお、オペレータコンソール部５は、シールドルーム３００の外部においてケーブル３ｂを介してキャビネット部４に接続される。
【００２４】
図２は、図１に示したＭＲＩ装置に適用され、この発明の実施の形態１であるスイッチング電源の制御装置の概略構成を示すブロック図である。図２では、シールドルーム３００内部に電力を供給する電源部４ａを有する。また、図２において、オペレータコンソール部５の計算機１４は、操作部１６からの指示入力をもとに、ＭＲＩ装置の制御ソフトウェアであるパルスシーケンスをキャビネット部４のスキャンコントローラ部１７にダウンロードさせる。スキャンコントローラ部１７は、同様に、キャビネット部４の中にある駆動制御部１８を介してマグネット部１００およびテーブル部２００の駆動を各種制御する。この場合、駆動制御部１８と、マグネット部１００およびテーブル部２００との間の信号授受は、ペネトレーションパネル６のフィルタ２１を介して実行される。
【００２５】
一方、電源部４ａのスイッチング電源１３は、ケーブル３ｃ、ペネトレーションパネル６のフィルタ２０、およびケーブル２ｂを介して、テーブル部２００およびマグネット部１００の負荷３０１に接続される。この電源部４ａは，スイッチング電源１３、このスイッチング電源１３を冷却する可変風量ファン１２、この可変風量ファン１２に可変の電源を供給するファン用電源１１、スイッチング電源１３から発生するスイッチング周波数の高調波成分であって、共鳴周波数帯域の周波数成分、すなわちノイズ周波数成分を検出する検出コイル３０、この検出コイル３０が検出するノイズ周波数成分をモニタするノイズモニタ回路３１、および、このノイズモニタ回路３１により検出されたノイズ周波数成分情報と、計算機１４から取得したＭＲＩ装置の共鳴周波数帯域情報とに基づきファン用電源１１を可変に制御する制御装置３２を有する。なお、フィルタ２０は、電源ノイズの高周波成分を除去するが、このフィルタ２０による除去では十分でない場合には、図２に示すように、ケーブル２ｂ上にフェライトコア１９を接続する。
【００２６】
スイッチング電源１３は、温度変化に対して、ノイズ周波数が敏感に反応して変化する構成要素を有する。図３は、シリーズスイッチング電源によって実現されるスイッチング電源１３の詳細構成を示す図である。図３において、このスイッチング電源１３は、トランス部１３ａが交流電源の電圧を所望の交流電圧に変換し、整流平滑部１３ｂが、この交流電圧を直流電圧に整流し、平滑化してスイッチ部１３ｃに出力する。スイッチ部１３ｃは、制御部１３ｄのスイッチングによって所望の直流電流を通電させ、フィルタ部１３ｅは、スイッチ部１３ｃから出力された直流電流をフィルタリングして負荷３０１に直流電力を供給する。ここで、フィルタ部１３ｅの出力は、制御部１３ｄを介してスイッチ部１３ｃにフィードバックされ、負荷３０１に対して安定した電力を出力する。
【００２７】
制御部１３ｄは、発振器などを内蔵し、スイッチ部１３ｃに対するスイッチング周波数を決定する能動素子を含む。この発振器は、温度の影響を受けやすく、温度の変化に伴って発振周波数も変化し、さらにスイッチング周波数も変化する。すなわち、上述したノイズ周波数が敏感に反応して変化する構成要素は、このスイッチング電源１３の場合、発振器を有する制御部１３ｄである。したがって、スイッチング周波数すなわちノイズ周波数を温度制御する場合、制御部１３ｄ、特に発振器の温度を制御すればよい。
【００２８】
ここで、図４に示すフローチャートを参照して、制御装置３２によるノイズ制御処理手順について説明する。図４において、まず、制御装置３２は、計算機１４から、ＭＲＩ装置の共鳴周波数帯域の情報を読み込む（ステップＳ１０１）。その後、制御装置３２は、ノイズモニタ回路３１がモニタしたノイズ周波数成分の情報を読み込む（ステップＳ１０２）。なお、上述したように、ノイズモニタ回路３１がモニタする周波数帯域は、共鳴周波数帯域を含む周波数帯域である。
【００２９】
その後、制御装置３２は、モニタしたノイズ周波数成分が、共鳴周波数帯域内にあるか否かを判断する（ステップＳ１０３）。ノイズ周波数成分が、共鳴周波数帯域内にある場合（ステップＳ１０３／Ｙｅｓ）は、ファン用電源１１の電源電圧を変化させ、可変風量ファン１２の回転数を制御する。その結果、可変風量ファン１２による風量が変化し、スイッチング電源１３の冷却量が制御される（ステップＳ１０４）。これによって、スイッチング電源１３が発するスイッチング周波数の高調波成分であるノイズ周波数成分の周波数を共鳴周波数帯域外にシフトさせる。その後、ステップＳ１０２に移行し、上述した処理を繰り返す。一方、ノイズ周波数成分が、共鳴周波数帯域内にない場合（ステップＳ１０３／Ｎｏ）には、そのままステップＳ１０２に移行し、上述した処理を繰り返すことになる。
【００３０】
ここで、図５を参照して、共鳴周波数帯域とノイズ周波数との関係について説明する。図５（ａ）は、ノイズ周波数５０が共鳴周波数帯域４０内に存在する状態を示している。この状態では、ノイズ周波数５０は、マグネット部１００の受信コイル１（図１参照）が受信する共鳴周波数とともにノイズ周波数５０が受信され、ＭＲＩ装置に影響を与え、ＭＲＩ画像を劣化させることになる。
【００３１】
このような電磁干渉状態は、制御装置３２が、ノイズモニタ回路３１によりモニタするノイズ周波数成分と、計算機１４から読み取った共鳴周波数帯域４０とを比較することによって容易に判断することができる。その後、制御装置３２は、たとえば、ファン用電源１１の電源電圧を高くし、可変風量ファン１２の回転数を高くすることによって風量を増大し、スイッチング電源１３を冷却する。これにより、スイッチング電源１３の発振器が冷却され、ノイズ周波数５０が周波数軸上をシフトする。
【００３２】
ノイズ周波数５０の周波数軸上でのシフト量および向きは、スイッチング電源１３の発振器が有する発振周波数（ノイズ周波数）の温度特性に依存する。たとえば、発振器の周波数特性が温度に比例する場合は、ノイズ周波数５０が全体的に低い側にシフトすることになる。また、発振器の周波数特性が温度に反比例する場合は、ノイズ周波数５０が全体的に高い側にシフトすることになる。
【００３３】
このように、スイッチング電源１３の発振器を冷却することによって、ノイズ周波数５０は共鳴周波数帯域４０からシフトし、図５（ｂ）に示すように、共鳴周波数帯域４０上には存在しなくなる。この結果、ノイズ周波数５０は、ＭＲＩ画像に何らの影響を与えなくなる。このような処理は、常時繰り返され、常に、ノイズ周波数５０が、共鳴周波数帯域４０上に存在しないように制御される。
【００３４】
なお、スイッチング電源１３の発振器を加熱することによっても、ノイズ周波数５０を共鳴周波数帯域４０からシフトさせることができるが、熱源であるスイッチング電源１３自体を加熱することは、発振器のみならず、スイッチング電源１３を構成する他の要素が熱破壊する可能性もあるため、一般に冷却することが好ましい。
【００３５】
また、ノイズ周波数を温度制御する場合、上述したように、ノイズ周波数が敏感に反応して変化する構成要素である発振器の温度を制御すればよいので、発振器に対する温度制御を集中的に行うようにしてもよい。要は、ノイズ周波数の発信要素を特定し、この特定した要素に対して温度制御を行うようにすればよい。
【００３６】
（実施の形態２）
つぎに、この発明にかかる実施の形態２について説明する。上述した実施の形態１では、スイッチング電源１３の温度を変化させるために、可変風量ファン１２を用いたが、この実施の形態２では、水冷方式の熱交換手段によってスイッチング電源１３の温度を制御し、これによってノイズ周波数をシフトさせるように構成している。
【００３７】
図６は、この発明にかかる実施の形態２であるスイッチング電源の制御装置を含むＭＲＩ装置の概略構成を示すブロック図である。図６において、電源部４ｂは、図２に示した実施の形態１の電源部４ａに対応し、スイッチング電源１３、このスイッチング電源１３を冷却する熱交換器６０、この熱交換器６０を介してスイッチング電源１３を冷却するための冷却水が循環するパイプ６１、パイプ６１内に冷却水を循環させるポンプ６２、このポンプ６２を可変駆動させるポンプ用電源６３、スイッチング電源１３から発生するスイッチング周波数の高調波成分であって、共鳴周波数帯域の周波数成分、すなわち、ノイズ周波数成分を検出する検出コイル３０、この検出コイル３０が検出するノイズ周波数成分をモニタするノイズモニタ回路３１、および、このノイズモニタ回路３１が検出したノイズ周波数成分情報と計算機１４から取得した共鳴周波数帯域情報とに基づいてポンプ用電源６３を可変制御する制御装置６４を有する。その他の構成は、図２に示した構成と同じであり、同一構成部分には同一符号を付して、その説明を省略する。
【００３８】
ここで、図７に示すフローチャートを参照して、制御装置６４によるノイズ制御処理手順について説明する。図７において、まず、制御装置６４は、計算機１４から、共鳴周波数帯域の情報を読み込む（ステップＳ２０１）。その後、制御装置６４は、ノイズモニタ回路３１がモニタしたノイズ周波数成分の情報を読み込む（ステップＳ２０２）。なお、上述したように、ノイズモニタ回路３１がモニタする周波数帯域は、共鳴周波数帯域を含む周波数帯域である。
【００３９】
その後、制御装置６４は、モニタしたノイズ周波数成分が、共鳴周波数帯域内にあるか否かを判断する（ステップＳ２０３）。ノイズ周波数成分が、共鳴周波数帯域内にある場合（ステップＳ２０３／Ｙｅｓ）は、ポンプ用電源６３の電源電圧を変化させ、ポンプ６２が循環させる冷却水の流量を制御し、スイッチング電源１３に対する冷却量を変化させる（ステップＳ２０４）。これによって、スイッチング電源１３が発するスイッチング周波数の高調波成分であるノイズ周波数成分の周波数を、ＭＲＩ装置の共鳴周波数帯域内よりシフトさせる。その後、ステップＳ２０２に移行し、上述した処理を繰り返す。一方、ノイズ周波数成分が、共鳴周波数帯域内にない場合（ステップＳ２０３／Ｎｏ）には、そのままステップＳ２０２に移行し、上述した処理を繰り返すことになる。
【００４０】
これによって、図５に示したように、ノイズ周波数５０は、共鳴周波数帯域４０からシフトし、共鳴周波数帯域４０上に存在しなくなる。この結果、ノイズ周波数５０は、ＭＲＩ画像に影響を与えなくなる。このような処理は、常時繰り返され、常に、ノイズ周波数５０が、共鳴周波数帯域４０上に存在しないように制御される。
【００４１】
なお、実施の形態１で述べたように、ノイズ周波数５０の発信源、たとえば発振器を特定することができれば、この発信源のみを集中的に冷却することが効率的である。特に、この実施の形態２で示した水冷方式では、パイプ６１の配管が伴うため、このパイプ６１の配管を発信源に可能な限り近づけて設置することが好ましい。また、実施の形態１と同様に、加熱して発信源を温度制御するようにしてもよい。
【００４２】
【発明の効果】
以上説明したように、第１の観点の発明にかかるノイズ干渉制御装置によれば、検出手段により検出されたノイズ周波数が装置用周波数帯域に存在する場合、温度制御手段によってスイッチング電源の温度を変化させ、ノイズ周波数を装置用周波数帯域外にシフトさせる。これによって、ノイズ周波数が装置用周波数帯域に干渉しないようになるので、所定装置は、装置用周波数帯域を用いて品質の高い信号を常に得ることができるという効果を奏する。
【００４３】
また、第２の観点の発明にかかるノイズ干渉制御装置によれば、温度制御手段として、可変風量ファンを用い、制御手段によって可変風量ファンの回転数を変化させ、スイッチング電源に対する風量を変化させる。これによってスイッチング電源の温度を制御し、ノイズ周波数を装置用周波数帯域外にシフトさせる。その結果、簡易な構成によって、装置用周波数帯域を用いて品質の高い信号を常に得ることができるという効果を奏する。
【００４４】
また、第３の観点の発明にかかるノイズ干渉制御装置によれば、温度制御手段として、水冷式の熱交換手段を用い、制御手段によって熱交換手段の流量を変化させ、スイッチング電源に対する熱交換率を変化させる。これによってスイッチング電源の温度を制御し、ノイズ周波数を装置用周波数帯域外にシフトさせる。その結果、簡易な構成によって、装置用周波数帯域を用いて品質の高い信号を常に得ることができるという効果を奏する。
【００４５】
また、第４の観点の発明にかかるノイズ干渉制御装置によれば、ノイズ周波数の発生源であるスイッチング電源の発振器を、特に冷却することによって、迅速かつ確実にノイズ周波数を装置用周波数帯域外にシフトさせるようにしているので、効率的に、装置用周波数帯域における品質の高い信号を常に得ることができるという効果を奏する。
【００４６】
また、第５の観点の発明にかかるＭＲＩ装置によれば、上述した第１〜第４の観点の発明のいずれか一つのノイズ干渉制御装置を用い、ＭＲＩ装置の共鳴周波数帯域に存在するノイズ周波数を該共鳴周波数帯域外にシフトするようにしているので、常に品質の高いＭＲＩ画像を得ることができるという効果を奏する。
【００４７】
また、第６の観点の発明にかかるノイズ干渉制御方法によれば、まず、装置用周波数帯域に発生したノイズ周波数を検出し、この検出されたノイズ周波数が装置用周波数帯域に存在するか否かを判断し、この判断によって、ノイズ周波数が装置用周波数帯域に存在すると判断した場合、スイッチング電源の温度を変化させ、ノイズ周波数を装置用周波数帯域外にシフトさせる。これによって、ノイズ周波数が装置用周波数帯域に干渉しないようにしているので、所定装置は、装置用周波数帯域を用いて品質の高い信号を常に得ることができるという効果を奏する。
【図面の簡単な説明】
【図１】ＭＲＩ装置の全体構成を示す図である。
【図２】図１に示したＭＲＩ装置に適用され、この発明の実施の形態１であるスイッチング電源の制御装置の概略構成を示すブロック図である。
【図３】図２に示したスイッチング電源の構成を示すブロック図である。
【図４】図２に示したスイッチング電源の制御装置による温度制御処理手順を示すフローチャートである。
【図５】ノイズ周波数と共鳴周波数帯域との関係を示す図である。
【図６】この発明の実施の形態２であるスイッチング電源の制御装置を含むＭＲＩ装置の概略構成を示すブロック図である。
【図７】図６に示したスイッチング電源の制御装置による温度制御処理手順を示すフローチャートである。
【符号の説明】
２ａ，２ｂ，３ａ，３ｂ，３ｃ  ケーブル
４  キャビネット部
５  オペレータコンソール部
４ａ，４ｂ  電源部
６  ペネトレーションパネル
１１  ファン用電源
１２  可変風量ファン
１３  スイッチング電源
１４  計算機
１９  フェライトコア
２０，２１  フィルタ
３０  検出コイル
３１  ノイズモニタ回路
３２，６４  制御装置
４０  共鳴周波数帯域
５０  ノイズ周波数
６０  熱交換器
６１  パイプ
６２  ポンプ
６３  ポンプ用電源
１００  マグネット部
２００  テーブル部
３００  シールドルーム
３０１  負荷
【図１】
0004519331.tif 000002
【図２】
0004519331.tif 000003
【図３】
0004519331.tif 000004
【図４】
0004519331.tif 000005
【図５】
0004519331.tif 000006
【図６】
0004519331.tif 000007
【図７】
0004519331.tif 000008